【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
駐車場に設置される充電器であって、
電話とは別の所定の伝達方法で前記駐車場において第１の電話番号を取得する取得手段（２２０）と、
前記取得手段が取得した前記第１の電話番号をメモリ（３３）に記録する記録手段（２４５）と、
電話の呼接続要求を受信したことに基づいて、前記呼接続要求に含まれる第２の電話番号と前記メモリに記録されている前記第１の電話番号とを照合して両者が一致するか否かを判定する照合判定手段（２９０、３０５）と、
両者が一致していると前記照合判定手段が判定したことに基づいて、車両（８）への充電を許可すると共に前記第１の電話番号に対する課金処理を行い、両者が一致していないと前記照合判定手段が判定したことに基づいて、前記車両への充電を禁止する充電制御手段（３２５、３５０、３５５）と、を備えた充電器。
【請求項２】
前記両者が一致していないと前記照合判定手段が判定したことに基づいて、前記第２の電話番号の電話機にエラーを通知するための処理を行うエラー通知手段（３１０）を備えたことを特徴とする請求項１に記載の充電器。
【請求項３】
前記両者が一致していると前記照合判定手段が判定したことに基づいて、前記メモリに格納された前記第１の電話番号を消去することで、前記第１の電話番号から電話の呼接続要求を再度受けた場合に前記第１の電話番号に対する課金処理を再度行わないようにする消去手段（３２８）を備えたことを特徴とする請求項１または２に記載の充電器。
【請求項４】
前記両者が一致していると前記照合判定手段が判定したことに基づいて、前記メモリに格納された前記第１の電話番号を消去する消去手段（３２８）を備え、
前記充電制御手段は、両者が一致していると前記照合判定手段が判定したことに基づいて、呼を確立させるための一致応答を送信し、
前記消去手段は、前前記両者が一致していると前記照合判定手段が判定したことに基づいて、前記一致応答が送信されるタイミングで、前記第１の電話番号を消去することを特徴とする請求項１または２に記載の充電器。
【請求項５】
前記両者が一致していると前記照合判定手段が判定したことに基づいて、前記メモリに格納された前記第１の電話番号を消去する消去手段（３２８）と、
前記取得手段が前記第１の電話番号を取得したことに基づいて、前記車両への充電を行うために前記車両に接続する部材である充電ガン（４２）のロックを解除するロック解除手段（２４０）とを備え、
前記消去手段は、前前記両者が一致していると前記照合判定手段が判定したことに基づいて、前記充電ガンのロックが解除されてから所定時間後に、前記第１の電話番号を消去することを特徴とする請求項１または２に記載の充電器。
【請求項６】
前記両者が一致していると前記照合判定手段が判定したことに基づいて、前記メモリに格納された前記第１の電話番号を消去する消去手段（３２８）と、
前記取得手段が前記第１の電話番号を取得したことに基づいて、前記車両への充電を行うために前記車両に接続する部材である充電ガン（４２）のロックを解除するロック解除手段（２４０）とを備え、
前記消去手段は、前前記両者が一致していると前記照合判定手段が判定したことに基づいて、前記充電ガンを保持して収納するためのホルダ（４３）に前記充電ガンが戻されたタイミングで、前記第１の電話番号を消去することを特徴とする請求項１または２に記載の充電器。
【請求項７】
前記照合判定手段は、前記両者が一致していないと判定したことに基づいて、前記メモリに格納された前記第１の電話番号を消去せず保持することを特徴とする請求項１ないし６のいずれか１つに記載の充電器。
【請求項８】
二次元コードを読み取る読取部（３２）を備え、
前記所定の伝達方法は、前記読取部によって読み取られた二次元コードをデコードすることを含む方法であることを特徴とする請求項１ないし７のいずれか１つに記載の充電器。
【請求項９】
駐車場に設置されて車両（８）に充電を行う充電器（４）と、
サービス提供サーバ（６）と、を備えた充電管理システムであって、
前記充電器は、電話とは別の所定の伝達方法で前記駐車場において第１の電話番号を取得してメモリ（３３）に記録し、
前記サービス提供サーバは、ユーザが携帯する携帯電話機（１）の電話番号である第２の電話番号を送信元電話番号として含み、前記充電器の電話番号を宛先電話番号として含む呼接続要求を受信したことに基づいて、前記呼接続要求を前記充電器に転送し、
前記充電器は、前記サービス提供サーバによって転送された前記呼接続要求を受信したことに基づいて、前記呼接続要求に含まれる前記第２の電話番号と前記メモリに記録されている前記第１の電話番号とを照合して両者が一致するか否かを判定し、両者が一致していると前記照合判定手段が判定したことに基づいて、前記車両への充電を許可すると共に前記第１の電話番号に対する課金処理を行い、両者が一致していないと前記照合判定手段が判定したことに基づいて、前記車両への充電を禁止することを特徴とする充電管理システム。
【請求項１０】
二次元コードサーバ（２）と、電話番号管理サーバ（５）とを備え、
前記二次元コードサーバは、前記携帯電話機から前記第１の電話番号の情報を受信し、受信した前記第１の電話番号を含む登録確認を前記電話番号管理サーバに送信し、
前記電話番号管理サーバは、前記登録確認を受信したことに基づいて、受信した前記登録確認に含まれる前記第１の電話番号が自機に登録されているかを確認し、確認の結果としての登録有無を前記二次元コードサーバに送信し、
前記二次元コードサーバは、前記登録有無を受信すると、受信した前記登録有無の内容に従って、前記第１の電話番号が前記電話番号管理サーバに登録されているか否かを判定し、登録されている場合、前記第１の電話番号をエンコードして二次元コードを作成して前記携帯電話機に送信し、登録されていない場合、前記第１の電話番号をエンコードせず、
前記所定の伝達方法は、前記第１の電話番号がエンコードされた二次元コードを前記携帯電話機が表示し、表示された二次元コードを前記充電器が読み取ってデコードすることを含む方法であることを特徴とする請求項９に記載の充電管理システム。
【請求項１１】
電話とは別の所定の伝達方法で情報を取得する取得手段（２２０）と、
前記取得手段が取得した情報が電話番号を含むか否かを判定する電話番号判定手段（２２５）と、
前記取得手段が取得した情報が電話番号を含むと前記電話番号判定手段が判定したことに基づいて、車両（８）への充電を行うために前記車両に接続する部材である充電ガン（４２）のロックを解除するロック解除手段（２４０）と、
前記ロック解除手段によって前記充電ガンのロックが解除された後に電話の呼接続要求を受信したことに基づいて、前記充電ガンが接続された前記車両への充電を許可する充電制御手段（３２５、３５０、３５５）と、を備えた充電器。
【請求項１２】
二次元コードを読み取る読取部（３２）を備え、
前記所定の伝達方法は、前記読取部によって読み取られた二次元コードをデコードすることを含む方法であることを特徴とする請求項１１に記載の充電器。
【請求項１３】
前記取得手段が取得した前記情報に含まれる前記電話番号は第１の電話番号であり、
当該充電器は、前記取得手段が取得した前記第１の電話番号をメモリ（３３）に記録する記録手段（２４５）と、
前記ロック解除手段によって前記充電ガンのロックが解除された後に、電話の呼接続要求を受信したことに基づいて、前記呼接続要求に含まれる第２の電話番号と前記メモリに記録されている前記第１の電話番号とを照合して両者が一致するか否かを判定する照合判定手段（２９０、３０５）と、
両者が一致していると前記照合判定手段が判定したことに基づいて、車両（８）への充電を許可すると共に前記第１の電話番号に対する課金処理を行い、両者が一致していないと前記照合判定手段が判定したことに基づいて、前記車両への充電を禁止する充電制御手段（３２５、３５０、３５５）と、を備えた請求項１１に記載の充電器。
【請求項１４】
車両（８）に充電を行う充電器（４）と、
サービス提供サーバ（６）と、を備えた充電管理システムであって、
前記充電器は、電話とは別の所定の伝達方法で取得した情報が電話番号を含むことに基づいて、前記車両への充電を行うために前記車両に接続する部材である充電ガン（４２）のロックを解除し、
前記サービス提供サーバは、ユーザが携帯する携帯電話機（１）の電話番号である第２の電話番号を送信元電話番号として含む呼接続要求を受信したことに基づいて、前記呼接続要求を前記充電器に転送し、
前記充電器は、前記サービス提供サーバによって転送された前記呼接続要求を、前記ロック解除手段によって前記充電ガンのロックが解除された後に、受信したことに基づいて、前記車両への充電を許可することを特徴とする充電管理システム。
【請求項１５】
二次元コードサーバ（２）と、電話番号管理サーバ（５）とを備え、
前記二次元コードサーバは、前記携帯電話機から前記第１の電話番号の情報を受信し、受信した前記第１の電話番号を含む登録確認を前記電話番号管理サーバに送信し、
前記電話番号管理サーバは、前記登録確認を受信したことに基づいて、受信した前記登録確認に含まれる前記第１の電話番号が自機に登録されているかを確認し、確認の結果としての登録有無を前記二次元コードサーバに送信し、
前記二次元コードサーバは、前記登録有無を受信すると、受信した前記登録有無の内容に従って、前記第１の電話番号が前記電話番号管理サーバに登録されているか否かを判定し、登録されている場合、前記第１の電話番号をエンコードして二次元コードを作成して前記携帯電話機に送信し、登録されていない場合、前記第１の電話番号をエンコードせず、
前記所定の伝達方法は、前記第１の電話番号がエンコードされた二次元コードを前記携帯電話機が表示し、表示された二次元コードを前記充電器が読み取ってデコードすることを含む方法であることを特徴とする請求項１４に記載の充電管理システム。
【手続補正２】
【補正対象書類名】明細書
【補正対象項目名】０００８
【補正方法】変更
【補正の内容】
【０００８】
上記目的を達成するための請求項１に記載の発明は、駐車場に設置される充電器であって、電話とは別の所定の伝達方法で前記駐車場において第１の電話番号を取得する取得手段（２２０）と、前記取得手段が取得した前記第１の電話番号をメモリ（３３）に記録する記録手段（２４５）と、電話の呼接続要求を受信したことに基づいて、前記呼接続要求に含まれる第２の電話番号と前記メモリに記録されている前記第１の電話番号とを照合して両者が一致するか否かを判定する照合判定手段（２９０、３０５）と、両者が一致していると前記照合判定手段が判定したことに基づいて、車両（８）への充電を許可すると共に前記第１の電話番号に対する課金処理を行い、両者が一致していないと前記照合判定手段が判定したことに基づいて、前記車両への充電を禁止する充電制御手段（３２５、３５０、３５５）と、を備えた充電器である。
【手続補正３】
【補正対象書類名】明細書
【補正対象項目名】００１１
【補正方法】変更
【補正の内容】
【００１１】
また、請求項９に記載の発明は、駐車場に設置されて車両（８）に充電を行う充電器（４）と、サービス提供サーバ（６）と、を備えた充電管理システムであって、前記充電器は、電話とは別の所定の伝達方法で前記駐車場において第１の電話番号を取得してメモリ（３３）に記録し、前記サービス提供サーバは、ユーザが携帯する携帯電話機（１）の電話番号である第２の電話番号を送信元電話番号として含み、前記充電器の電話番号を宛先電話番号として含む呼接続要求を受信したことに基づいて、前記呼接続要求を前記充電器に転送し、前記充電器は、前記サービス提供サーバによって転送された前記呼接続要求を受信したことに基づいて、前記呼接続要求に含まれる前記第２の電話番号と前記メモリに記録されている前記第１の電話番号とを照合して両者が一致するか否かを判定し、両者が一致していると前記照合判定手段が判定したことに基づいて、前記車両への充電を許可すると共に前記第１の電話番号に対する課金処理を行い、両者が一致していないと前記照合判定手段が判定したことに基づいて、前記車両への充電を禁止することを特徴とする充電管理システムである。
【手続補正４】
【補正対象書類名】明細書
【補正対象項目名】００１３
【補正方法】変更
【補正の内容】
【００１３】
また、請求項１１に記載の発明は、電話とは別の所定の伝達方法で情報を取得する取得手段（２２０）と、前記取得手段が取得した情報が電話番号を含むか否かを判定する電話番号判定手段（２２５）と、前記取得手段が取得した情報が電話番号を含むと前記電話番号判定手段が判定したことに基づいて、車両（８）への充電を行うために前記車両に接続する部材である充電ガン（４２）のロックを解除するロック解除手段（２４０）と、前記ロック解除手段によって前記充電ガンのロックが解除された後に電話の呼接続要求を受信したことに基づいて、前記充電ガンが接続された前記車両への充電を許可する充電制御手段（３２５、３５０、３５５）と、を備えた充電器。
【手続補正５】
【補正対象書類名】明細書
【補正対象項目名】００１５
【補正方法】変更
【補正の内容】
【００１５】
また、請求項１４に記載の発明は、車両（８）に充電を行う充電器（４）と、サービス提供サーバ（６）と、を備えた充電管理システムであって、前記充電器は、電話とは別の所定の伝達方法で取得した情報が電話番号を含むことに基づいて、前記車両への充電を行うために前記車両に接続する部材である充電ガン（４２）のロックを解除し、前記サービス提供サーバは、ユーザが携帯する携帯電話機（１）の電話番号である第２の電話番号を送信元電話番号として含む呼接続要求を受信したことに基づいて、前記呼接続要求を前記充電器に転送し、前記充電器は、前記サービス提供サーバによって転送された前記呼接続要求を、前記ロック解除手段によって前記充電ガンのロックが解除された後に、受信したことに基づいて、前記車両への充電を許可することを特徴とする充電管理システムである。